(57)【要約】【課題】複数の店舗が存在する所定の領域内の通行路に面して配置された複数のディスプレイ端末を用いて、所望の店舗に関連付けられたコンテンツを抽出し、表示場所や表示時刻を積極的に変化させて表示することにより、顧客を所望の店舗または所望の商品へ誘導したり、あるいは顧客の動線経路を能動的に操作したりして、意図した広告効果を実現する広告システムを提供する。【解決手段】複数の店舗が存在する領域内の通行路に配置された複数のディスプレイ端末と、前記ディスプレイ端末に表示するために、連続性がある複数の画像よりなるコンテンツを複数記憶するコンテンツ記憶部と、前記複数の店舗中の所望の店舗への動線経路上にある複数のディスプレイ端末を選択するディスプレイ選択部と、前記所望の店舗に関連付けられたコンテンツを前記コンテンツ記憶部から抽出するコンテンツ抽出部と、前記選択された複数のディスプレイ端末に前記動線経路の順に、前記抽出されたコンテンツを画像の連続順に表示されるように配信するコンテンツ配信端末とを備える。【選択図】図１
2010210781.tif 000002
【特許請求の範囲】
【請求項１】
複数の店舗または売場が存在する領域内の通行路上に配置された複数のディスプレイ端末に配信するコンテンツ配信端末であって、
前記ディスプレイ端末で表示するために、連続性がある複数の画像よりなるコンテンツを複数記憶するコンテンツ記憶部と、
前記複数の店舗または売場を結ぶ動線経路上にある複数のディスプレイ端末を選択するディスプレイ選択部と、
前記動線経路上に存在する少なくとも１つの店舗または売場に関連付けられたコンテンツを前記コンテンツ記憶部から抽出するコンテンツ抽出部と、
前記選択された複数のディスプレイ端末に前記動線経路の順に、前記抽出されたコンテンツを画像の連続順に表示されるように配信するコンテンツ配信部
を備えることを特徴とするコンテンツ配信端末。
【請求項２】
更に、店舗情報または売場情報を記憶する情報記憶部を備え、前記コンテンツ抽出部は、前記情報記憶部に記憶された店舗情報または売場情報に基づいて、前記動線経路上に存在する少なくとも１つの店舗（または売場）に関連付けられたコンテンツを前記コンテンツ記憶部から抽出する請求項１に記載のコンテンツ配信端末。
【請求項３】
更に、前記コンテンツの視聴者層情報を記憶するコンテンツ情報記憶部を備え、前記コンテンツ抽出部は、前記コンテンツの視聴者層情報と、前記店舗情報または売場情報または商品情報に基づいて、前記動線経路上に存在する少なくとも１つの店舗または売場に関連付けられたコンテンツを前記コンテンツ記憶部から抽出する請求項２に記載のコンテンツ配信端末。
【請求項４】
前記コンテンツ配信端末は、前記動線経路を入力する入力部を更に備え、前記コンテンツ抽出部は、前記入力された動線経路上に存在する少なくとも１つの店舗または売場に関連付けられたコンテンツを前記コンテンツ記憶部から抽出する請求項１に記載のコンテンツ配信端末。
【請求項５】
前記コンテンツは、前記店舗、売場または商品に関する広告を含む請求項１に記載のコンテンツ配信端末。
【請求項６】
前記動線経路上の顧客の移動速度に対応して、前記選択された複数のディスプレイ端末に前記動線経路の順に、前記抽出されたコンテンツを画像の連続順に表示されるように再生するスケジュールを作成するスケジュール作成部を更に備え、前記スケジュールに従って画像を配信する請求項２に記載のコンテンツ配信端末。
【請求項７】
複数の店舗または売場が存在する領域内の通行路上に配置された複数のディスプレイ端末に配信するコンテンツ配信端末であって、
前記ディスプレイ端末で表示するために、連続性がある複数の画像よりなるコンテンツを複数記憶するコンテンツ記憶部と、
前記複数の店舗または売場中の所望の店舗、売場または所望の商品を入力する入力部と、
前記入力された所望の店舗、売場または所望の商品を含む動線経路を作成する動線経路作成部と、
前記動線経路上にある複数のディスプレイ端末を選択するディスプレイ選択部と、
前記所望の店舗、売場または所望の商品に関連付けられたコンテンツを前記コンテンツ記憶部から抽出するコンテンツ抽出部と、
前記選択された複数のディスプレイ端末に前記動線経路の順に、前記抽出されたコンテンツを画像の連続順に表示されるように配信するコンテンツ配信部と
を備えることを特徴とするコンテンツ配信端末。
【請求項８】
更に、店舗情報、売場情報または商品情報を記憶する情報記憶部を備え、前記動線経路作成部は、前記情報記憶部に記憶された店舗情報、売場情報または商品情報に基づいて、動線経路を作成する請求項７に記載のコンテンツ配信端末。
【請求項９】
複数の店舗または売場が存在する領域内の通行路上に配置された複数のディスプレイ端末と、前記ディスプレイ端末で表示するために、連続性がある複数の画像よりなるコンテンツを複数記憶するコンテンツ記憶部を備え、
コンピュータによって、
前記複数の店舗または売場を結ぶ動線経路上にある複数のディスプレイ端末を選択するディスプレイ選択ステップと、
前記動線経路上に存在する少なくとも１つの店舗または売場に関連付けられたコンテンツを前記コンテンツ記憶部から抽出するコンテンツ抽出ステップと、
前記選択された複数のディスプレイ端末に前記動線経路の順に、前記抽出されたコンテンツを画像の連続順に表示されるように配信するコンテンツ配信ステップと
を実行することを特徴とする広告方法。
【請求項１０】
複数の店舗または売場が存在する領域内の通行路上に配置された複数のディスプレイ端末と、前記ディスプレイ端末で表示するために、連続性がある複数の画像よりなるコンテンツを複数記憶するコンテンツ記憶部を備え、
コンピュータによって
前記複数の店舗または売場中の所望の店舗または売場または所望の商品を入力する入力ステップと、
前記入力された所望の店舗または売場または所望の商品を含む動線経路を作成する動線経路作成ステップと、
前記動線経路上にある複数のディスプレイ端末を選択するディスプレイ選択ステップと、
前記所望の店舗または売場または所望の商品に関連付けられたコンテンツを前記コンテンツ記憶部から抽出するコンテンツ抽出ステップと、
前記選択された複数のディスプレイ端末に前記動線経路の順に、前記抽出されたコンテンツを画像の連続順に表示されるように配信するコンテンツ配信ステップと
を実行することを特徴とする広告方法。
【発明の詳細な説明】
【技術分野】
【０００１】
本発明は、複数の店舗または売場が存在する所定の領域内の通行路上に面して配置された複数のディスプレイ端末を用いて、顧客に店舗、売場または商品を広告する広告システムに用いられるコンテンツ配信端末及び広告方法に関する。特に、本発明は複数のディスプレイ端末にタイムリーに映像や情報を配信する、いわゆるデジタルサイネージ(Digital Signage)により広告最適化する広告システムに用いられるコンテンツ配信端末及び広告方法に関する。
【背景技術】
【０００２】
近年、ショッピングモール、デパート、大型スーパーはますます大型化し、店舗（または売場）が多数配置されるとともに、各所に広告用のポスターやディスプレイ端末が配置され、各ディスプレイ端末のデジタルサイネージ化が図られている。
またデジタルサイネージにおいては、例えば、特許文献１および２により公知であるように、通行する人の動きや性質をリアルタイムに検知し、それにあわせて表示するコンテンツを動的に変更するようにしたシステムも存在する。特許文献１は、インターネット等のネットワークを用いた広告システムに関し、人体センサーが人体を検出したとき、その場所に設置された出力装置にコンテンツを出力し、複数の画面を用いて訴求力のある広告を提供するものである。またサーバを用いて各端末に配信することにより広告を全国に配信するものであり、無制限のチャンネルのコンテンツをサーバに用意し、各ディスプレイ端末が希望のチャンネルのコンテンツを選択することにより、多数の広告を配信するものである。
そのために、特許文献１では、端末はチャンネルと日時の組み合わせとコンテンツテーブルを記述したチャンネルテーブルをダウンロードし、各時刻に、その時刻と選択されたチャンネルの組み合わせに対応したコンテンツテーブルをダウンロードする。そして、端末はコンテンツテーブルに記述されている画面毎の複数のコンテンツをダウンロードし、人体センサーが人体を検出したとき、その人体の傍らにある画面にコンテンツを表示するものである。
更に、詳細には繁華街の歩道、駅構内、エスカレータに複数の人体センサー及び複数の画面を配置し、人体を検知すると、傍らの画面に広告を表示するものであり、人の歩行速度に合わせて次々に画面に広告を表示することにより、歩行速度に合わせた画像の表示を可能にするものである。また、通勤時間帯にはビジネスマン向けの広告を表示し、昼間は主婦向けの広告を表示するものである。
【０００３】
特許文献２は、移動端末の移動速度を検出することで、より効果的な広告効果をもたらす移動端末への広告表示を実現するものである。そのため、特許文献２は、広告情報を移動端末に配信するシステムであり、移動端末に広告情報を送信する広告送信手段と、移動端末の移動速度を検出する検出手段と、検出手段により検出された移動速度に基づき、広告送信手段より送信される広告情報を制御する制御手段を備える。
より詳細には、移動手段判別部に、徒歩、車などの移動手段毎の移動速度に関する比較データを保持し、その比較データと移動速度を比較することにより移動手段を推定する。そして、移動手段１（徒歩）向け広告と、移動手段２（車）向け広告を用意し、移動手段判別部によって推定した移動手段に応じて、移動手段に送信する広告情報を切り換え、移動端末では、送信された広告情報を受信し、端末画面に表示するものである。
【先行技術文献】
【特許文献】
【０００４】
【特許文献１】特開２００４−１０２７１４号公報
【特許文献２】特開２００４−１１７４４２号公報
【発明の概要】
【発明が解決しようとする課題】
【０００５】
特許文献１及び２のように、デジタルサイネージが図られているが、各ディスプレイ端末を連携し、連続するコンテンツ情報により顧客をある店舗（または売場）または商品へ誘導したり、あるいは顧客の動線経路を能動的に操作したりは行なわれていない。
本発明は、ショッピングモール、デパート、大型スーパーなど複数の店舗または売場が存在する所定の領域内の通行路上に面して配置された複数のディスプレイ端末を用いて、複数の店舗を結ぶ動線経路上に存在する店舗または売場に関連付けられたコンテンツを抽出し、表示場所や表示時刻を積極的に変化させて表示することにより、顧客を動線経路上の店舗または売場、商品を販売する店舗へ誘導したり、あるいは顧客の動線経路を能動的に操作したりして、意図した広告効果を実現する広告システムであり、その広告システムに用いられるコンテンツ配信端末及び広告方法を提供することを目的とする。
【課題を解決するための手段】
【０００６】
本発明は上記課題を解決するため、複数の店舗が存在する領域内の通行路上に配置された複数のディスプレイ端末に配信するコンテンツ配信端末であって、前記ディスプレイ端末で表示するために、連続性がある複数の画像よりなるコンテンツを複数記憶するコンテンツ記憶部と、前記複数の店舗を結ぶ動線経路上にある複数のディスプレイ端末を選択するディスプレイ選択部と、前記動線経路上に存在する少なくとも１つの店舗に関連付けられたコンテンツを前記コンテンツ記憶部から抽出するコンテンツ抽出部と、前記選択された複数のディスプレイ端末に前記動線経路の順に、前記抽出されたコンテンツを画像の連続順に表示されるように配信するコンテンツ配信部を備えることを特徴とする。
これにより、本発明によれば、顧客を所望の店舗または所望の商品へ誘導し、あるいは顧客の動線経路を能動的に操作して、意図した広告効果を実現する広告配信端末を提供することができる。
【０００７】
本発明において、ディスプレイ端末はショッピングモール、デパート、大型スーパーなどの通行路上に配置される。ディスプレイ端末が通行路上に配置されるとは、通行路に沿って、または通行路に面して、店舗（または売場）（以下、「店舗（または売場）」を「店舗」という。）の前あるいは街頭など、顧客に見えるように配置されることを意味する。ここで、店舗は、商品を販売し、サービスを提供する場所をいう。ディスプレイ端末は店舗が所有・管理するものであってもよいし、ディスプレイ端末はショッピングモール、デパート、大型スーパーなどが所有・管理するものであってもよい。
ディスプレイ端末は、コンテンツ配信端末と、有線または無線により接続され、コンテンツ配信端末から配信された画像をディスプレイ端末で表示する。複数のディスプレイ端末を結ぶ動線経路によって、顧客の動線経路を能動的に操作し、または意図した広告効果を実現する。そのため、動線経路にあるディスプレイ端末が選択される。動線経路は所望の店舗への通行路を結ぶことによって形成されるが、動線経路中にやむを得ず不所望の店舗が含まれてもよい。そして、選択したディスプレイ端末に、プレミアムコンテンツを表示することにより、顧客の動線経路を能動的に操作し、意図した広告効果を実現する。
【０００８】
上記コンテンツは、連続性のある画像によって構成され、顧客は第１の画像を見ると、第２の画像、第３の画像・・・を見たくなるような、例えば４コマ漫画のようなコンテンツ、物語などストーリ性のあるコンテンツ、クイズとヒントまたは解答のようなコンテンツ、スタンプラリーのようなコンテンツ、店舗または商品に関する連続性のある画像よりなるコンテンツである。また各画像に連続性がないコンテンツは、第１の画像の続きとして、第２の画像があること及び表示場所を第１の画像の表示終了時に表示して、連続性を持たせたようなコンテンツであってもよい。ここでコンテンツを構成する連続性のある画像は、画像だけでなく、文字列のみのような情報も含む。また、コンテンツは静止画でも動画でもよい。また、コンテンツは、店舗の広告情報あるいは商品の広告情報であってもよく、上記コンテンツに、広告情報を付加してもかまわない。本発明では、コンテンツは選択された複数のディスプレイ端末に、動線経路の順に、コンテンツの画像の連続順に表示されるように配信するので、特定の場所にあるディスプレイ端末で、特定の画像しか見ることができない。そのような意味で、プレミアムコンテンツと言うことがある。
【０００９】
本発明において、複数のコンテンツがコンテンツ記憶部に記憶され、コンテンツ抽出部は、所望の店舗または動線経路上に存在する少なくとも１つの店舗に相応しいコンテンツ、例えば、店舗に関連付けられたコンテンツを抽出する。この抽出の場合に、店舗情報または商品情報に基づいて抽出する。また所望の店舗に関連付けられたコンテンツを抽出するため、店舗の利用客層情報または商品の購入者層情報が使用される。更には、コンテンツの視聴者層情報が使用され、店舗の利用客層情報または商品の購入者層情報と、コンテンツの視聴者層情報の両者の層の一致数、一致の割合などのスコアを計算し、この計算に基づいて最もスコアの高いコンテンツを抽出する。
また、本発明は、少なくとも１つの店舗を含む動線経路を入力する入力部を備え、所望の店舗に関連付けられたコンテンツを抽出し、動線経路上のディスプレイ端末で表示する。
また、本発明は、動線経路を移動する顧客の移動速度に基づき、動線経路上にある複数のディスプレイ端末に動線経路の順に、抽出されたコンテンツを画像の連続順に表示されるように配信するスケジュールを作成し、スケジュールに従って画像を表示する。
本発明は、このように連続性のある画像によって構成されるコンテンツを、顧客の動線経路上にある複数のディスプレイ端末に、動線経路の順に、画像の連続順に表示するものである。
これにより、デジタルサイネージにより広告最適化し、顧客を所望の店舗または所望の商品へ誘導し、あるいは顧客の動線経路を能動的に操作して、意図した広告効果を実現する広告システムを提供することができる。
【００１０】
また、本発明は上記課題を解決するため、複数の店舗が存在する領域内の通行路上に配置された複数のディスプレイ端末に配信するコンテンツ配信端末であって、前記ディスプレイ端末に表示するために、連続性がある複数の画像よりなるコンテンツを複数記憶するコンテンツ記憶部と、前記複数の店舗中の所望の店舗または所望の商品を入力する入力部と、前記入力された所望の店舗または所望の商品を含む動線経路を作成する動線経路作成部と、前記動線経路上にある複数のディスプレイ端末を選択するディスプレイ選択部と、前記所望の店舗または所望の商品に関連付けられたコンテンツを前記コンテンツ記憶部から抽出するコンテンツ抽出部と、前記選択された複数のディスプレイ端末に前記動線経路の順に、前記抽出されたコンテンツを画像の連続順に表示されるように配信するコンテンツ配信部とを備えることを特徴とする。
これにより本発明によれば、所望の店舗または所望の商品を入力するので、顧客の動線経路を確実に所望の店舗または所望の商品へ誘導し、あるいは顧客の動線経路を能動的に操作して、意図した広告効果を実現する広告配信端末を提供することができる。
【００１１】
また、本発明は、別の観点によれば、上記課題を解決するための広告方法であり、複数の店舗が存在する領域内の通行路上に配置された複数のディスプレイ端末と、前記ディスプレイ端末に表示するために、連続性がある複数の画像よりなるコンテンツを複数記憶するコンテンツ記憶部を備え、コンピュータによって、前記複数の店舗を結ぶ動線経路上にある複数のディスプレイ端末を選択するディスプレイ選択ステップと、前記動線経路上に存在する少なくとも１つの店舗に関連付けられたコンテンツを前記コンテンツ記憶部から抽出するコンテンツ抽出ステップと、前記選択された複数のディスプレイ端末に前記動線経路の順に、前記抽出されたコンテンツを画像の連続順に表示されるように配信するコンテンツ配信ステップとを実行することを特徴とする。
これにより、本発明によれば、顧客を所望の店舗または所望の商品へ誘導し、あるいは顧客の動線経路を能動的に操作して、意図した広告効果を実現する広告方法を獲ることができる。
【００１２】
また、本発明は、別の観点によれば、上記課題を解決するための広告方法であり、複数の店舗が存在する領域内の通行路上に配置された複数のディスプレイ端末と、前記ディスプレイ端末で表示するために、連続性がある複数の画像よりなるコンテンツを複数記憶するコンテンツ記憶部を備え、コンピュータによって、前記複数の店舗中の所望の店舗または所望の商品を入力する入力ステップと、前記入力された所望の店舗または所望の商品を含む動線経路を作成する動線経路作成ステップと、前記動線経路上にある複数のディスプレイ端末を選択するディスプレイ選択ステップと、前記所望の店舗または所望の商品に関連付けられたコンテンツを前記コンテンツ記憶部から抽出するコンテンツ抽出ステップと、前記選択された前記動線経路順の複数のディスプレイ端末に、前記抽出されたコンテンツを画像の連続順に表示されるように配信するコンテンツ配信ステップとを実行することを特徴とする。
これにより本発明によれば、所望の店舗または所望の商品を入力するので、顧客の動線経路を確実に所望の店舗または所望の商品へ誘導し、あるいは顧客の動線経路を能動的に操作して、意図した広告効果を実現する広告方法を獲ることができる。
【発明の効果】
【００１３】
本発明によれば、ショッピングモール、デパート、大型スーパーなど複数の店舗が存在する所定の領域内の通行路に配置された複数のディスプレイ端末を用いて、複数の店舗を結ぶ動線経路上に存在する店舗または所望の商品に関連付けられたコンテンツを抽出し、表示場所や表示時間を積極的に変化させて表示することにより、顧客を動線経路上の店舗または商品を販売する店舗へ誘導し、あるいは顧客の動線経路を能動的に操作して、意図した広告効果を実現し、デジタルサイネージにより広告最適化する広告システムに用いられるコンテンツ配信端末及び広告方法が提供される。
【図面の簡単な説明】
【００１４】
【図１】本発明の広告システムの全体構成図である。
【図２】本発明の実施形態１の構成図である。
【図３】本発明の実施形態１のコンテンツ配信管理端末のブロック図である。
【図４】本発明の実施形態１の地図情報格納部４０ｃ―１に格納された地図情報のデータ構造を示す図である。
【図５】本発明の実施形態１で使用される地図である。
【図６】本発明の実施形態１のコンテンツ格納部４０ｃ−２に格納されたコンテンツ情報テーブルのデータ構造を示す図である。
【図７】本発明の実施形態１の表示用ディスプレイ情報格納部４０ｃ−３に格納されたデータ構造を示す図である。
【図８】本発明の実施形態１の店舗情報格納部４０ｃ−４に格納された店舗１０ａ〜１０ｍに関する店舗情報テーブルのデータ構造を示す。
【図９】本発明の実施形態１の商品広告データ格納部４０ｃ−７に格納された商品広告情報テーブルのデータ構造を示す。
【図１０】本発明の実施形態１のコンテンツ表示用ディスプレイ端末３０ａ〜３０ｄの１つのブロック図である。
【図１１】本発明の実施形態１の広告システム全体のフローチャートを示す。
【図１２】図１１のステップＳ２−２の詳細を示すフローチャートである。
【図１３】図１１のステップＳ２−３の詳細を示す図である。
【図１４】図１１のステップＳ２−４の詳細を示す図である。
【図１５】図１１のステップＳ２−５の詳細を説明する図である。
【図１６】図１１のステップＳ２−６の詳細を説明する図である。
【図１７】本発明の実施形態１において、コンテンツ配信管理端末４０から配信されて再生されたイメージ図である。
【図１８】本発明の実施形態２を説明するフローチャート図である。
【図１９】図１８のフローチャートの処理結果を説明する図である。
【図２０】本発明の実施形態３を説明するフローチャート図である。
【図２１】図２０のフローチャートの処理結果を説明する図である。
【図２２】本発明の実施形態３によって、各ディスプレイ端末で表示されるコンテンツと、商品広告データの関係を示すデータ構造である。
【図２３】本発明の実施形態４のフローチャート図である。
【図２４】図２３のフローチャートの処理結果を説明する図である。
【図２５】本発明の実施形態４によって設定された各ディスプレイ端末の表示時刻を説明する図である。
【図２６】本発明の実施形態５のフローチャート図である。
【図２７】本発明の実施形態５において、販売強化したい店舗を入力する表示画面を示す図である。
【図２８】本発明の実施形態５において、入力された販売強化店リストを説明する図である。
【図２９】図２３のフローチャートのステップＳ１１−１処理結果を説明する図である。
【図３０】図２３のフローチャートのステップＳ１１−１で抽出された通行路をグラフで表現する図である。
【図３１】図２３のフローチャートのステップＳ１１−１で抽出された通行路の組み合わせを説明する図である。
【図３２】図２３のステップＳ１１−２で決定された通行路を示す図である。
【図３３】図２３のステップＳ１１−３の処理結果として、コンテンツ配信管理端末４０から配信されて再生されたイメージ図である。
【図３４】本発明の実施形態７のフローチャート図である。
【図３５】入力方法は、例えば図３５に示すように、商品リストと、各商品の前にボックスが表示され、販売強化したい商品のボックスにチェックする方法である。
【図３６】入力された商品をもとに、図９の商品広告情報テーブルを走査し、指定された商品を取り扱っている店舗をプログラム実行用メモリ上のバッファに抽出する。この結果を図３６（ａ）に示す。
【図３７】このようにして抽出されたコンテンツが選択されたディスプレイ端末に割り付けられ、コンテンツ配信管理端末４０から各ディスプレイ端末に配信されて再生される。その結果として、図３７に示すような動線経路が作成される。
【図３８】本発明の実施形態８のシステム構成図である。
【図３９】本発明の実施形態８で用いられる広告登録サーバ端末５０のブロック図を示す。
【図４０】本発明の実施形態８で用いられる広告登録サーバ端末５０の表示画面を示す図である。
【図４１】本発明の実施形態９のシステム構成図である。
【図４２】本発明の実施形態９で用いられる上映告知サーバ端末６０のブロック図を示す。
【図４３】本発明の実施形態９で用いられる再生スケジュールの表示画面を示す図である。
【符号の説明】
【００１５】
１  領域
１０ａ〜１０ｍ  店舗
２０ａ〜２０ｑ  通行路
３０ａ〜３０ｉ  コンテンツ表示用ディスプレイ端末
３０−１  ＣＰＵ
３０−２  プログラム実行用メモリ
３０−２−２  コンテンツ再生プログラム
３０−３  コンテンツ格納部
３０−４  映像出力部
３０−５  ネットワーク接続部
３０−６  ディスプレイ部
４０  コンテンツ配信サーバ（コンテンツ配信管理サーバ）
４０ａ  ＣＰＵ
４０ｂ  プログラム実行用メモリ
４０ｂ−１  ユーザ入出力用プログラム
４０ｂ−２  ディスプレイ選択プログラム
４０ｂ−３  コンテンツ抽出プログラム
４０ｂ−４  コンテンツ配信プログラム
４０ｂ−５  動線経路作成プログラム
４０ｂ−６  コンテンツスケジュール作成プログラム
４０ｂ−７  店舗広告付加プログラム
４０ｂ−８  商品広告付加プログラム
４０ｃ  記憶装置
４０ｃ−１  地図情報格納部
４０ｃ−２  コンテンツ情報格納部
４０ｃ−３  表示用ディスプレイ端末情報格納部
４０ｃ−４  店舗情報格納部
４０ｃ−５  商品広告情報格納部
４０ｃ−６  コンテンツデータ格納部
４０ｃ−７  商品広告データ格納部
４０ｃ−８  店舗広告データ格納部
４０ｄ  ユーザ入出力部
４０ｅ  ネットワーク接続部
５０  広告当落サーバ端末
６０ａ  ＣＰＵ
５０ｂ  プログラム実行用メモリ
５０ｂ−１  ＷＷＷサーバプログラム
５０ｂ−２  データベースプログラム
５０ｃ  記憶装置
５０ｄ  ネットワーク接続部
６０  上映告知用サーバ端末
６０ａ  ＣＰＵ
６０ｂ  プログラム実行用メモリ
６０ｂ−１  ＷＷＷサーバプログラム
６０ｂ−２  メール送信プログラム
６０ｃ  記憶装置
６０ｄ  ネットワーク接続部
７０  ネットワーク接続用端末
Ｎ  ネットワーク
【発明を実施するための形態】
【００１６】
図１は本発明の広告システムの全体構成図である。図１に示すように、本発明の広告システムは、ショッピングモール、デパート、大型スーパーなど複数の店舗１０ａ〜１０ｅが存在する所定の領域１内の通行路２０ａ〜２０ｄに面して配置された複数のディスプレイ端末３０ａ〜３０ｆに、コンテンツ配信サーバ４０より連続性がある複数の画像により構成されるコンテンツを配信するものである。そのために、コンテンツ配信サーバ４０は連続性がある複数の画像により構成されるコンテンツをコンテンツ記憶部に複数記憶する。そして、複数の店舗を結ぶ動線経路上にある複数のディスプレイ端末を自動的に選択し、動線経路上に存在する店舗に関連付けられたコンテンツを、コンテンツ記憶部から自動的に抽出して、選択された複数のディスプレイ端末に動線経路の順に、画像の連続順に表示されるように配信し、表示する。
【００１７】
図１の点線は動線経路を示し、動線経路上に存在するディスプレイ端末に配信サーバ４０から再生コンテンツが配信される。図１では、広告の店舗１０ａ，１０ｂ，１０ｃを結ぶ動線経路が形成され、動線経路上にある店舗または商品に関連付けられたコンテンツが抽出される。そして、配信サーバ４０は、ディスプレイ端末３０ｄに再生コンテンツの第１話と店舗１０ａの広告データを配信し、ディスプレイ端末３０ｂに再生コンテンツの第２話と店舗１０ｂの広告データを配信する。ディスプレイ端末３０ｆに再生コンテンツの第３話と店舗１０ｃの広告データを配信する。以上のような配信を受けた各ディスプレイ端末は、それぞれコンテンツと広告データを再生・表示し、終了時にコンテンツの続きの再生場所と時刻を告知する。
図１は、配信サーバ４０がコンテンツの各話を各ディスプレイ端末に割り振りしたが、配信サーバ４０は、全てのコンテンツと全ての店舗広告データを各ディスプレイ端末に配信して、各ディスプレイ端末が再生・表示するコンテンツの話と広告データを決定するようにしてもよい。
【００１８】
図１において、複数のディスプレイ端末３０ａ〜３０ｆとコンテンツ配信サーバ４０は、有線または無線により接続され、コンテンツ配信サーバ４０から画像を配信し、ディスプレイ端末３０ａ〜３０ｆは配信されたコンテンツを受信して、表示画面に表示する。図１は、コンテンツ配信サーバ４０が領域１外に配置されるように示しているが、コンテンツ配信サーバは領域内にあってもかまわない。
上記コンテンツは、連続性のある画像によって構成され、顧客は第１の画像を見ると、第２の画像、第３の画像・・・を見たくなるような、例えば４コマ漫画のようなコンテンツ、物語などストーリ性のあるコンテンツ、クイズとヒントまたは解答のようなコンテンツ、スタンプラリーのようなコンテンツ、店舗または商品に関する連続性のある画像よりなる。また各画像に連続性がないコンテンツは、第１の画像の続きとして、第２の画像があること及び表示場所を第１の画像の表示終了時に表示して、連続性を持たせたようなコンテンツであってもよい。ここでコンテンツを構成する画像は、文字列のみのような情報も含む。このような、コンテンツは、例示であり、その他、連続性のある画像によって構成されるコンテンツを全て含むものである。また、コンテンツは静止画でも動画でもよい。また、コンテンツは、店舗の広告情報あるいは商品の広告情報であってもよく、上記コンテンツに、広告情報を付加してもかまわない。
図１の通行路２０ａ〜２０ｄに点線で動線経路を示すように、動線経路上の顧客は、第１のディスプレイ端末で、あるコンテンツの第１の画像を見る。そして、動線経路上を移動し第２のディスプレイ端末の近くに達すると、上記あるコンテンツの第２の画像を見ることができる。このようにして、顧客は第１の画像、第２の画像に順次惹かれて移動するので、知らずの内に動線経路を移動する。
【００１９】
本発明は、このように連続性のある画像によって構成されるコンテンツを、顧客の動線経路上にある複数のディスプレイ端末に、動線経路の順に、連続性のある画像を順次表示させるものである。
これにより、顧客を所望の店舗または所望の商品へ誘導し、あるいは顧客の動線経路を能動的に操作して、意図した広告効果を実現する広告システムを提供することができる。
【００２０】
本発明の広告システムは、更に、店舗情報または商品情報を記憶する情報記憶部を備え、この情報記憶部に記憶された店舗情報または商品情報に基づいて、所望の店舗に関連付けられたコンテンツを自動的に抽出する。更には、コンテンツの視聴者層情報を記憶するコンテンツ記憶部を備え、このコンテンツの視聴者層情報と、店舗の利用客層情報または商品の購入者層情報に基づいて、所望の店舗に関連付けられたコンテンツを自動的に抽出する。
また本発明の広告システムは、コンテンツ配信端末が前記動線経路を入力する入力部を備え、コンテンツ抽出部は入力された動線経路上に存在する店舗に関連付けられたコンテンツを自動的にコンテンツ記憶部から抽出する。
また本発明の広告システムは、コンテンツ配信端末が所望の店舗を入力する入力部を備え、コンテンツ抽出部は入力された所望の店舗に関連付けられたコンテンツを自動的にコンテンツ記憶部から抽出する。
また本発明の広告システムは、前記コンテンツ配信端末より動線経路上の顧客の移動速度に対応して、選択された複数のディスプレイ端末に動線経路の順に、抽出されたコンテンツを画像の連続順に再生するスケジュールを自動的に作成するスケジュール作成部を更に備え、前記スケジュールに従って画像を配信する。
【００２１】
また、本発明の広告システムは、複数の店舗中の所望の店舗または所望の商品を入力する入力部を備え、入力された所望の店舗または所望の商品を販売する店舗を結ぶ動線経路を自動的に作成する。そして、動線経路上にある複数のディスプレイ端末を選択し、所望の店舗または所望の商品に関連付けられたコンテンツをコンテンツ記憶部から抽出して、選択された複数のディスプレイ端末に、動線経路の順に、コンテンツを画像の連続順に表示されるように配信する。
【００２２】
更に、本発明の広告システムは、店舗情報または商品情報を記憶する情報記憶部を備え、情報記憶部に記憶された店舗情報または商品情報に基づいて動線経路を自動的に作成する。
更に、本発明の広告システムは、店舗オーナ用端末を備え、店舗オーナ用端末を用いて広告依頼料または広告データをアップロードする。
更に、本発明の広告システムは、商品メーカ用端末を備え、商品メーカ用端末を用いて広告依頼料または広告データをアップロードする。
更に、本発明の広告システムは、コンテンツ配信端末に接続可能な端末を備え、端末を用いて前記抽出されたコンテンツを見ることを可能にする。
【００２３】
（実施形態１）
図２は、実施形態１の構成図を示し、コンテンツ配信管理端末４０と複数のコンテンツ表示用ディスプレイ端末３０ａ〜３０ｄがネットワークＮにより接続されていることを表す。ネットワークＮは、光ファイバ、ＡＤＳＬ、あるいは無線などで構成された通信網であり、公衆回線または専用回線である。
コンテンツ配信管理端末４０の詳細は、図３により説明する。またコンテンツ表示用ディスプレイ端末３０ａ〜３０ｄの詳細は、図１０により説明する。
【００２４】
図３は、図１のコンテンツ配信管理端末４０のブロック図を示す。コンテンツ配信管理端末は、コンテンツ配信サーバと言うこともある。コンテンツ配信管理端末４０は、ＣＰＵ４０ａ、プログラム実行用メモリ４０ｂ、記憶装置４０ｃ、ユーザ入出力部４０ｄ、ネットワーク接続部４０ｅなどを備える。コンテンツ配信管理端末４０は一般的なパーソナルコンピュータによって構成することができる。
【００２５】
ＣＰＵ４０ａは、プログラム実行用メモリ４０ｂに格納されたプログラム読み込み、プログラムに従って実行するＣＰＵ装置である。
プログラム実行用メモリ４０ｂは、コンテンツ配信管理端末４０で実行される処理フローを実行するためのプログラムを記憶する部分である。主にＤＲＡＭなどの記憶装置によって構成される。ここには、本発明の説明に必要なプログラムとして、ユーザ入出力プログラム４０ｂ−１、ディスプレイ選択プログラム４０ｂ−２、コンテンツ抽出プログラム４０ｂ−３、コンテンツ配信プログラム４０ｂ−４、動線経路作成プログラム４０ｂ−５、コンテンツスケジュール作成プログラム４０ｂ−６、店舗広告付加プログラム４０ｂ−７、商品広告付加プログラム４０ｂ−８を示す。しかし、本発明のコンテンツ配信管理端末４０は、この外に文書作成用プログラム、表作成用プログラム、描画作成プログラム、動画作成用プログラム、静止画作成用プログラム、広告作成用プログラムなどを備えてもよい。
【００２６】
ユーザ入出力プログラム４０ｂ−１は、ユーザ入出力部４０ｄを制御し、コンテンツ配信管理端末４０を操作するユーザにＧＵＩを提供するプログラムである。
ディスプレイ選択プログラム４０ｂ−２は、所望の店舗を結ぶ動線経路上にあるディスプレイ端末を複数選択するプログラムである。このプログラムによって処理することにより、ディスプレイ選択部の機能を実現する。
コンテンツ抽出プログラム４０ｂ−３は、店舗情報または商品情報に基づいて所望の店舗に関連付けられたコンテンツをコンテンツデータ格納部４０ｃ−６から抽出するプログラムである。このプログラムによって処理することにより、コンテンツ抽出部の機能を実現する。
コンテンツ配信プログラム４０ｂ−４は、選択された複数のディスプレイ端末に動線経路の順に、抽出されたコンテンツを画像の連続順に表示されるように配信するプログラムである。このプログラムによって処理することにより、コンテンツ配信端末の機能を実現する。
【００２７】
動線経路作成プログラム４０ｂ−５は、入力された所望の店舗または所望の商品を販売する店舗を結ぶ動線経路を、店舗情報または商品情報に基づいて作成するプログラムである。このプログラムによって処理することにより、動線経路作成部の機能を実現する。
コンテンツスケジュール作成プログラム４０ｂ−６は、動線経路上の顧客の移動速度に対応して、選択された複数のディスプレイ端末に動線経路の順に、抽出されたコンテンツを画像の連続順に再生するスケジュールを作成するプログラムである。このプログラムによって処理することにより、スケジュール作成部の機能を実現する。
店舗広告付加プログラム４０ｂ−７は、配信するコンテンツに対して、適切な店舗広告を付加するプログラムである。
商品広告付加プログラム４０ｂ−８は、配信するコンテンツに対して、適切な商品広告を付加するプログラムである。
【００２８】
記憶装置４０ｃは、広告配信の対象とするショッピングモール、デパート、大型スーパーなどの地図情報、コンテンツ、ディスプレイ端末情報、店舗情報、商品情報などを格納し、またコンテンツ実データ、店舗広告実データ、商品広告実データなどを格納する記憶装置であり、例えばＨＤＤなどの記憶装置である。
【００２９】
地図情報格納部４０ｃ−１は、ショッピングモール、デパート、大型スーパーなどの地図情報を格納する。これは図４、図５を用いて後述する。
コンテンツ情報格納部４０ｃ−２は、コンテンツ情報テーブルを格納する。これは図６を用いて後述する。本発明では、ディスプレイ端末に表示するコンテンツは、特定の場所に設置されたディスプレイ端末、または特定の時刻に表示されるという意味で、プレミアムコンテンツともいう。
表示用ディスプレイ端末情報格納部４０ｃ−３は、表示用ディスプレイ端末情報テーブルを格納する。これは図７を用いて後述する。
店舗情報格納部４０ｃ−４は、店舗情報テーブルを格納する。これは図８を用いて後述する。
商品広告情報格納部４０ｃ−５は、商品広告情報テーブルを格納する。これは図９を用いて後述する。
コンテンツデータ格納部４０ｃ−６は、コンテンツの映像・音声実データを格納する。１つのコンテンツは、少なくとも２つ以上の画像を有している。画像は文字列であってもよいし、文字列を含む画像であってもよく、また動画でも、静止画でもよい。
商品広告データ格納部４０ｃ−７は、商品広告の映像・音声実データを格納する。
店舗広告データ格納部４０ｃ−８は、店舗広告の映像・音声実データを格納する。
【００３０】
ユーザ入出力部４０ｄは、コンテンツ配信端末Ａを操作するユーザが、動線経路の入力や店舗、商品または広告の選択を行なうためのユーザインターフェイス装置であり、主にキーボード、マウス、ディスプレイ、タッチペンなどである。
ネットワーク接続部４０ｅは、ネットワークに接続するための、Ethernet(登録商標)コントローラなどのインターフェース装置である。
【００３１】
図４は、図３の地図情報格納部４０ｃ−１に格納された地図情報のデータ構造を示し、ショッピングモールの地図情報に関する情報項目を有する。項目として、通行路番号、開始位置、終了位置、距離などがある。このような項目は例示であり、これら全部を備えなくてもよいし、これ以上の項目があってもかまわない。以下には、項目を全部有していても、これら項目数以下でも、以上でもよいことを、項目などを有するとして説明する。
通行路番号は、図５に示す地図中の通行路番号であり、それぞれの通行路に対して付したインデックス番号である。開始位置は、その通行路の開始位置である。終了位置は、その通行路の終了位置である。距離は、その通行路の距離を格納している。
図５は、領域１の地図を示し、店舗１０ａ〜１０ｍ、通行路２０ａ〜２０ｑ、ディスプレイ端末３０ａ〜３０ｊ、各通行路の開始位置と終了位置などを示す。図５の店舗１０ａは家電販売店、店舗１０ｂはゲームセンター、店舗１０ｃはコンビニ、店舗１０ｄは雑貨店、店舗１０ｅは衣料品店、店舗１０ｆは玩具店、店舗１０ｇは土産品店、店舗１０ｈはコンビニ、店舗１０ｉは衣料品店、店舗１０Ｊは衣料品店、店舗１０ｋは飲食店、店舗１０ｌは飲食店、店舗１０ｍは飲食店を示す。これら店舗は一例であり、これらが全部存在してもよいし、これ以下またはこれ以上であってもかまわない。またこれら以外の種類の店舗、例えばサービス業のような店舗が存在してもよい。
【００３２】
図６（ａ）は、図３のコンテンツ情報格納部４０ｃ−２に格納されたコンテンツ情報テーブルのデータ構造を示す。このコンテンツ情報テーブルは、インデックス番号、コンテンツタイトル名、コンテンツ実ファイルのファイル名、話数、再生時間、視聴者層情報の項目を有する。
上記インデックス番号は、プレミアムコンテンツに付された番号である。コンテンツタイトル名は、各コンテンツの名称である。コンテンツ実ファイルのファイル名は、図３のコンテンツデータ格納部４０ｃ−６で管理されているコンテンツ実ファイルのファイル名である。話数は、コンテンツの構成話数であり、例えば画像の枚数である。再生時間は、コンテンツ各話の再生時間である。静止画の場合は、その表示時間である。ここには、各コンテンツ（話数の合計）の再生時間を示したが、各話の再生時間であってもよい。
視聴者層情報は、図６（ｂ）で分類するような想定視聴者層情報である。即ち、各コンテンツはどの視聴者層により視聴されているか、あるいは興味をもたれているかを示す情報である。更に、話数ごとに分類してもよい。
図６（ｂ）は年齢、男女によって分類した視聴者層情報である。視聴者層情報は、更に時間帯毎に分類してもよい。このような分類は任意であり、これ以上でも、これ以下でもかまわない。
【００３３】
図７は、図３の表示用ディスプレイ端末情報格納部４０ｃ−３に格納された表示用ディスプレイ端末情報テーブルのデータ構造を示し、ショッピングモールに配置されているコンテンツ表示用ディスプレイ端末に関する情報項目を有する。項目として、番号と、位置情報（通行路番号）などがある。更には、ディスプレイの大きさ、設置高さ、ディスプレイの表示面が向いている方向などの項目があってもよい。
番号は、各ディスプレイ端末に付されたインデックス番号である。位置情報は、ディスプレイ端末が配置されている位置情報を示し、ここでは図５に示した地図上での通行路番号が格納されている。
【００３４】
図８は、図３の店舗情報格納部４０ｃ−７に格納された店舗情報テーブルのデータ構造を示す。登録されているそれぞれの店舗に対して、番号、店舗名、広告データファイル名、利用客層情報、平均滞在時間、広告依頼料、位置情報などの項目を有する。
上記番号は、各店舗に付されたインデックス番号である。店舗名は、各店舗の名称である。広告データファイル名は、図３の店舗広告データ格納部４０ｃ−８で管理されている店舗広告データ実ファイルのファイル名である。利用客層情報は、図６（ｂ）で分類するような顧客者層情報である。即ち、各店舗はどの顧客者層が利用しているかを示す情報である。平均滞在時間は、各店舗に顧客が滞在する平均時間である。この平均滞在時間は、実施形態４で、コンテンツ配信端末がタイムスケジュールを作成する場合に利用される。広告依頼料は、各店舗が拠出した広告依頼料金である。これは、例えば実施形態８で、利用される。位置情報は、図５に示した地図上での通行路番号を格納する。
【００３５】
図９は、図３の商品広告データ格納部４０ｃ−７に格納された商品広告情報テーブルのデータ構造を示し、メーカなどが本発明の広告システムを利用して商品広告を行なう場合に使用され、商品広告に関する各情報項目の例示である。項目として、番号、商品名、広告データファイル名、購入者層情報、広告依頼料、取扱店舗などを有する。
番号は、各商品に付された商品の番号であり、登録されているそれぞれの商品に対して付されたインデックス番号である。商品名は、商品の固有名称である。広告データファイル名は、図３の商品広告データ格納部４０ｃ−７で管理されている商品広告データ実ファイルのファイル名である。購入者層情報は、図６（ｂ）で分類する顧客者層情報である。即ち、各商品はどの顧客者層が購入しているかを示す情報である。広告依頼料は、各商品について、商品メーカあるいは店舗が拠出した広告依頼料である。これは、例えば実施形態７で利用される。取扱店舗は、当該商品を取り扱っている店舗番号である。
【００３６】
図１０は、図２に示したコンテンツ表示用ディスプレイ端末３０ａ〜３０ｄの１つのブロック図である。ディスプレイ端末は、全てが同じ仕様、規格である必要はないが、少なくとも以下のような機能を備えている必要がある。
図１０に示すように、ディスプレイ端末３０は、ＣＰＵ３０−１、プログラム実行メモリ３０−２、コンテンツ格納部３０−３、映像出力部３０−４、ネットワーク接続部３０−５、ディスプレイ部３０−６を備える。
【００３７】
上記ＣＰＵ３０−１は、プログラム実行用メモリ３０−２に記憶されたプログラムを読み込み、ディスプレイ端末３０全体を制御し、実行するＣＰＵ装置である。
プログラム実行メモリ３０−２は、コンテンツ再生プログラム３０−２−２を読み込み、このコンテンツ再生プログラム３０−２−２により、コンテンツ格納部３０−３に格納されたコンテンツデータや広告データを、指示されたＣＰＵ３０−１の指示、あるいはスケジュールに従って再生するためのプログラムであり、エンコードされた圧縮データをデコードして再生するプログラムである。
コンテンツ格納部３０−３は、コンテンツ配信管理端末４０からネットワーク接続部３０−５を経由して受信したコンテンツデータや広告データを格納する、ＨＤＤなどの記憶装置である。
映像出力部３０−４は、ディスプレイ部３０―６に映像信号を出力するビデオコントローラである。
ネットワーク接続部３０−５ネットワークＮに接続するための、Ethernet(登録商標)コントローラなどのインターフェース装置である。
ディスプレイ部３０−６は、液晶ディスプレイやプラズマディスプレイ、プロジェクタなどのディスプレイ装置であり、主に通行路のような公共の場所に広告・情報表示用に設置されるディスプレイである。
【００３８】
本発明の広告システムは、図２〜図１０に示す各部分を使用して、以下のように処理することにより、選択された複数のディスプレイ端末に動線経路の順に、抽出されたコンテンツを画像の連続順に表示されるように配信し、表示することにより、顧客を所望の店舗または商品へ誘導し、或いは顧客の動線経路を能動的に操作して、意図した広告効果を実現する。
【００３９】
図１１は実施形態１の広告システム全体のフローチャートを示す。図１１に示すように、広告システムが動作を開始すると、ショッピングモールの経営者、管理者、または運営者などは、ショッピングモールの顧客の強化したい動線経路を入力する（Ｓ２−１）。この動線経路の入力は、図５に示したショッピングモールの地図を見ながら、図３の入出力部４０ｄのマウス、タッチパネルなどを使用して通行路をなぞるようにして入力する。入力された動線経路は、通行路の色を変える、動線経路を点線あるいは実線を表示するなどにより、表示すると入力された動線経路が分かりやすくなる。このようにして、動線経路が入力されると、コンテンツ配信管理端末４０は入力された動線経路上に存在する店舗を自動的に抽出する（ステップＳ２−２）。店舗を抽出する処理については、図１２で詳細に説明する。動線経路の両側に店舗がある場合は、いずれか一方の店舗を選択するように予めプログラムに設定しておいてもよいし、両側の店舗を抽出するようにしてもよい。抽出店舗数は、少なくとも１つであり、複数であってもよい。
【００４０】
次に、ステップＳ２―３で、図８の店舗情報テーブルを使用して、利用客層を抽出する。この処理の詳細は、図１３により説明する。次に、ステップＳ２―４で、図６に示したプレミアムコンテンツ情報テーブルを用いて、上記ステップＳ２−３で抽出した利用客層を基にして、スコアを計算する。これは図１４により詳細に説明する。
ステップＳ２−５は、ステップＳ２−１で入力した動線経路をもとに、動線経路上のコンテンツ表示用ディスプレイ端末を複数選出する。詳細は図１５により後述する。ステップＳ２−６は、上記ステップＳ２−４で計算した各プレミアムコンテンツのスコアの最も高いコンテンツを配信コンテンツとして自動的に抽出し、配信コンテンツを構成する各話をステップＳ２−５で抽出した各ディスプレイ端末に動線経路の順に割り当てる。詳細は図１６により後述する。ステップＳ２−７は、ネットワークＮを通じて、コンテンツ配信管理端末４０から上記ステップＳ２−５で抽出した各ディスプレイ端末３０に対して、ステップＳ２−６で割り当てられたように、コンテンツの各話を配信する。
【００４１】
図１２は、図１１のステップＳ２−２の詳細を示す。図１２（ａ）は、処理フロー、図１２（ｂ）はこのフローによって抽出された通行路のリスト、図１２（ｃ）はこのフローによって抽出された店舗のリストを示す。
図１２（ａ）の処理フローにおいて、ステップＳ３−１では、入力された動線経路に含まれる通行路を抽出する。ここでは図５に点線に示すように動線経路が入力されたとして、通行路２０ｇ、２０ｈ、２０ｉ、２０ｅ、２０ｃが抽出される。抽出された通行路のリストを図１２（ｂ）に示す。リストは通行路の順に並べるのが望ましい。
次に、ステップＳ３−２で、入力された動線経路をもとに、店舗情報格納部４０ｃ−４に格納された店舗情報テーブル（図８）を検索する。動線経路を構成する通行路（２０ｇ、２０ｈ、２０ｉ、２０ｅ、２０ｃ）と一致する店舗がある場合は、ステップＳ３−３に移行し、検索された店舗をプログラム実行用メモリ上のバッファにメモリする。この検索は動線経路を構成する通行路がなくなるまで繰り返し実行される（ステップＳ３−４）。
そして、ステップＳ３−４では、動線経路を構成する全ての通行路について抽出をしたか否か判断し、まだ抽出していない通行路があれば、ステップＳ３−５に移行し、この処理を繰り返す。動線経路を構成する全ての通行路を抽出した場合は、このフローを終了する。検索された店舗リストは図１２（ｃ）に示すとおりである。つまり、店舗１０ｇ、１０ｅ、１０ｈ、１０ｃ、１０ｄである。
【００４２】
図１３は、図１１のステップＳ２−３の詳細を示す。図１３（ａ）は、処理フローを示し、図１３（ｂ）は、各店舗の顧客層リストを示す。
図１３（ａ）の処理フロー中、ステップＳ４−１は、図１２のフローによって抽出された各店舗それぞれについて、図３の店舗情報格納部４０ｃ−４に格納された店舗情報テーブル（図８）から各店舗の利用客層情報をプログラム実行用メモリ上のバッファに抽出する。一致する店舗がある場合（ステップＳ４−２）、抽出した各店舗の顧客層をプログラム実行用メモリ上のバッファに保持する（ステップＳ４−３）。
次に、ステップＳ４−１に戻り、ステップＳ４−２、Ｓ４−３を繰り返す。そして、全ての店舗について抽出したかどうかを判断して（ステップＳ４―４）、まだであれば、次の店舗へ移動する（ステップＳ４−５）。全ての店舗について抽出が終了すると、このフローを終了する。
このフローによって作成された各店舗の顧客層リストは、図１３（ｂ）に示す通りである。
【００４３】
図１４は、図１１のステップＳ２−４の詳細を示す。図１４（ａ）は、処理フロー、図１４（ｂ）は、コンテンツの視聴者層リスト、図１４（ｃ）は、各コンテンツについて計算した結果表を示す。図１４（ａ）の処理は、コンテンツ配信管理端末４０に用意されているすべてのコンテンツについて、コンテンツ情報格納部４０ｃ−２に格納されたプレミアムコンテンツ情報テーブル（図６）をもとに、入力された動線経路上で再生するのに最も適したコンテンツを決定するため、スコアを計算する。
【００４４】
具体例としてここでは、図６のコンテンツ情報テーブルにおける各コンテンツの視聴者層情報をもとにして、スコアを計算する場合を説明する。
スコアを計算する方法は、入力された動線経路上の各店舗に対して、該当コンテンツの視聴者適合値を計算する方法である。即ち、入力された動線経路上の店舗及び当該店舗の利用客層は、図１１のフローチャートにおいて、ステップＳ２−３で求めたように、図１３（ｂ）のとおりである。各店舗の利用客層と、各店舗におけるコンテンツの視聴者適合値の合計を計算する。例えば、
スコア＝（店舗１０ｇでの視聴者適合値）＋（店舗１０ｅでの視聴者適合値）＋（店舗１０ｈでの視聴者適合値）＋（店舗１０ｃでの視聴者適合値）＋（店舗１０ｄでの視聴者適合値）
で計算する。より詳細には、適合値を単に店舗の利用客層とコンテンツの視聴者層の重複層数で計算する。例えば店舗１０ｇでは利用客層[M3,F2,F3]に対して，コンテンツ１の視聴者層[C]であり、両者に重複する層がないので、適合値は0とする。店舗１０ｈでは利用客層[C,T,M1,M2,M3,F1,F2,F3]に対し、コンテンツ１の視聴者層[C]であり、[C]の層が重複するため、適合値は1となる。このようにして各店舗について適合値を計算すると、次のようになる。
スコア＝（店舗１０ｇの利用客層[M3,F2,F3]とコンテンツ１「子供向けアニメ」の視聴者層[C]の適合値）＋（店舗１０ｅの利用客層[T,F1,F2]とコンテンツ１「子供向けアニメ」の視聴者層[C]の適合値）＋（店舗１０ｈの利用客層[C,T,M1,M2,M3,F1,F2,F3]とコンテンツ１「子供向けアニメ」の視聴者層[C]の適合値）＋（店舗１０ｃの利用客層[C,T,M1,M2,M3,F1,F2,F3]とコンテンツ１「子供向けアニメ」の視聴者層[C]の適合値）＋（店舗１０ｄの利用客層[T,F1]とコンテンツ１「子供向けアニメ」の視聴者層[C]の適合値）
である。これは、
＝ 0+0+1+1+0＝ 2
となる。最終的に、各店舗の適合値の和「２」がこのコンテンツのスコアとなる。
【００４５】
ここでは適合値の計算に、単純に重複層数を用いたが、実際には統計的に各層の分布をあらかじめ調査しておき、計算の際に適合値の補正を行なうなどをおこなってもよい。また重複する場合にも、他の利用客層の数によって、係数をかけるようにしてもよい。更に、時間帯ごとのスコアを計算してもよい。また、類似店を多く含む動線経路を優先してもよいし、類似店を避けるようにしてもよい。
上記のようなスコアの計算を、全てのコンテンツについて行った結果を図１４（ｃ）に示す。
【００４６】
以上に説明したスコアの計算は、図１４（ａ）のフローチャートにより実施される。
図１４（ａ）のステップＳ５−１は、図６のコンテンツ情報テーブルから最初のコンテンツ１（例えば、子供向けアニメ）の視聴者層情報を取得する。次にステップＳ５−２で、動線経路の最初の店舗（例えば、店舗１０ｇ）の利用客層情報を取得する。次に、ステップＳ５−３で、コンテンツ１の視聴者層情報と店舗１０ｇの利用客層情報が一致するかどうか判断する。一致すればステップＳ５−４で一致数を加算し、一致しなければ、加算せずにステップＳ５−５に進む。ステップＳ５―５では、全ての店舗を検索したか否か判断し、全ての店舗を検索していなければ、ステップＳ５−６に移行し、次の店舗の利用客層情報を取得し、ステップＳ５−３に戻る。
全ての店舗の検索が行われれば、次のコンテンツを検索するため、ステップＳ５−７に進み、全てのコンテンツを検索したか否か判断する。まだのコンテンツがあれば、ステップＳ５−８に移行し、ステップＳ５−２に戻る。全てのコンテンツについて検索が終了すれば、このフローを終了する。
【００４７】
図１５は、図１１のステップＳ２−５の詳細を説明する図である。即ち、入力された動線経路を基にして、図３の表示用ディスプレイ端末情報格納部４０ｃ−３に格納された表示用ディスプレイ端末情報テーブル（図７）を検索する。即ち、図１２（ｂ）に示す動線経路を構成する通行路と一致する通行路が登録されているディスプレイ端末をプログラム実行用メモリ上のバッファにすべて抽出する。このようにして抽出されたディスプレイ端末は、図１５に示す通り，ディスプレイ端末３０ｄ、３０ｅ、３０ｃである。
【００４８】
図１６は、図１１のステップＳ２−６の詳細を説明する図である。
上記図１１のステップＳ２−４（詳細は図１４）で計算された各コンテンツのスコアから、もっともスコアの高いコンテンツを配信コンテンツとして決定する。図１４（ｃ）に示す例では、コンテンツ番号２の「学生向けバラエティー」とコンテンツ番号３「学生向けクイズ」の両者は、ともに１０点であり、同点で配信候補となる。配信すべきディスプレイ端末が３台（図１５）であり、図６のプレミアムコンテンツ情報テーブルよりそれぞれの構成話数が３話、４話であることから、ここでは配信すべきディスプレイ端末数と構成話数が一致する「学生向けバラエティー」の方を優先して配信するように処理を行なう。プレミアムコンテンツデータ格納部４０ｃ−６に格納されている「学生向けバラエティー」の各話データを各ディスプレイ端末（３０ｄ、３０ｅ、３０ｃ）の順にプログラム実行用メモリ上のバッファで割り付け、配信を行なう（図１６）。図１６の後半部分はコンテンツ実ファイル名である。
【００４９】
上記説明では、ディスプレイ端末数と構成話数を一致させたが、必ずしもは一致させる必要はない。スコアが同点であった場合には他の何らかの指標により優先順位を求めても良いし、あるいは単にインデックス番号の小さい物を優先する、といったやり方でもよい。
ディスプレイ端末数とコンテンツの構成話数が異なる場合には、構成話数が多い場合には一つのディスプレイ端末に複数のコンテンツを割り付けるようにし、逆に構成話数の方が少ない場合にはいくつかのディスプレイ端末をとばしてコンテンツを割り付ければよい。あるいは、コンテンツを繰り返し表示するよう割り付けてもよい。
このようにしてコンテンツがディスプレイ端末に割り付けられ、コンテンツ配信管理端末４０から配信されて再生されたイメージが図１７である。図１７に示すように、点線で示す動線経路に沿って、店舗１０ｇ、１０ｅ、１０ｈ、１０ｃ、１０ｄがあり、動線経路上の通行路にディスプレイ端末３０ｄ、３０ｅ、３０ｃがある。そして、「学生向けバラエティー」の各話データが話の順にディスプレイ端末３０ｄ、３０ｅ、３０ｃに配信される。図１７はディスプレイ端末３０ｄ、３０ｅ、３０ｃのみが表示状態であり、他のディスプレイ端末は非表示のように示している。ディスプレイ端末３０ｄ、３０ｅ、３０ｃ以外のディスプレイ端末で、他のコンテンツを表示してもかまわない。
以上には、動線経路に沿って複数の店舗が存在し、複数の店舗に関連付けられたコンテンツを抽出したが、動線経路に沿って存在する店舗数を制限することが可能であり、少なくとも１つの店舗あるいは複数の店舗数店であってもかまわない。
【００５０】
（実施形態２）
実施形態２は、実施形態１のようにして、ディスプレイ端末３０ｄ、３０ｅ、３０ｃに配信されるコンテンツに適切な店舗広告を付加する例である。
図１８は、プレミアムコンテンツ配信時に、さらに適切な店舗広告データを付加して配信する場合のフローチャート図である。
実施形態２は、実施形態１と同じ構成であり、大部分が同じ動作をするので、異なる部分だけを説明する。実施形態２で、説明のない部分は実施形態１の通りである。以下の実施形態も同じ。
図１８のステップＳ８−１は、実施形態１の図１１〜図１７に説明した通りである。即ち、動線経路の入力し、動線経路上に存在する店舗を抽出し、店舗の利用者層を抽出し、各コンテンツのスコアを計算し、動線経路上に存在するディスプレイ端末を抽出し、コンテンツの各話をディスプレイ端末に配分し、配信する。
ステップＳ８−２は、動線経路の通行路に沿って、各ディスプレイ端末に広告する店舗を抽出し、広告データを割り当てる。テップＳ８−１で配信決定されたディスプレイ端末３０ｄ、３０ｅ、３０ｃと、通行路上に位置する店舗１０ｇ、１０ｅ、１０ｈ、１０ｃ、１０ｄをプログラム実行用メモリ上のバッファで並べる。その結果は、図１９（ａ）の通りである。
【００５１】
ここで、実施形態２は、顧客が動線経路に沿って通行路２０ｇ、２０ｈ、２０ｉ、２０ｅ、２０ｃの順に進むときに、顧客の現在位置にあるディスプレイ端末から次の位置に出現するディスプレイ端末までの間にある店舗の広告をディスプレイ端末で表示するものである。
図１９（ｂ）は、ステップＳ８−２によって得られた結果を示し、通行路と、店舗と、ディスプレイ端末の関係を示す。つまり、通行路２０ｇに、店舗１０ｇがあり、ディスプレイ端末３０ｄがあることを示す。通行路３０ｈには店舗、ディスプレイ端末がないことを示す。通行路２０ｉには、店舗１０ｅ、１０ｈがあり、ディスプレイ端末３０ｅがあることを示す。通行路２０ｅには店舗、ディスプレイ端末がないことを示す。通行路２０ｃには、店舗１０ｃ、１０ｄがあり、ディスプレイ端末３０ｃがあることを示す。
【００５２】
図１９（ｂ）の結果に従い、図８の店舗情報テーブルを検索し、各店舗の店舗広告データファイル名を抽出し、これをプログラム実行用メモリ上のバッファで、それぞれのディスプレイ端末に割り付ける。その結果は図１９（ｃ）に示す通りである。
このようにして各ディスプレイ端末に割り付けられた店舗広告データを、図１６で決定されたプレミアムコンテンツデータとともにコンテンツ配信管理端末４０からそれぞれのディスプレイ端末３０に配信する。コンテンツ配信管理端末４０から各ディスプレイ端末に配信されたコンテンツと商品広告データは、図１９（ｄ）に示すように、再生される。
以上の処理は、図３の店舗広告付加プログラム４０ｂ−７を読み出して、処理を実行することにより実現される。
【００５３】
（実施形態３）
実施形態３は、実施形態１のようにして、ディスプレイ端末３０ｄ、３０ｅ、３０ｃに配信されるコンテンツに適切な商品広告を付加する例である。
図２０は、プレミアムコンテンツ配信時に、さらに適切な商品広告データを付加して配信する場合のフローチャート図である。
図２０のステップＳ９−１は、実施形態１の図１１〜図１７に説明した通りである。即ち、動線経路の入力し、動線経路上に存在する店舗を抽出し、店舗の利用者層を抽出し、各コンテンツのスコアを計算し、動線経路上に存在するディスプレイ端末を抽出し、コンテンツの各話をディスプレイ端末に配分し、配信する。
ステップＳ９−２は、動線経路の通行路に沿って存在する各店舗の取扱商品を、商品広告情報テーブル（図９参照）から抽出する。抽出結果をプログラム実行用メモリ上のバッファに抽出する。従って、図２１（ａ）に示すように、店舗と取扱商品のリストが作成される。
【００５４】
ステップＳ９−３は、上記ステップＳ９−２で抽出された各店舗での取扱商品の商品広告を、商品広告情報テーブル（図９）を検索して各商品の商品広告データファイル名を抽出する。さらに図１９（ｃ）に示したディスプレイ端末とコンテンツの割り付け情報にもとづいて、各店舗の取扱商品の商品広告データをプログラム実行用メモリ上のバッファでディスプレイ端末に割り付ける。その結果は図２１（ｂ）に示すとおりである。つまり、ディスプレイ端末３０ｄでは、商品広告をせず、ディスプレイ端末３０ｅでは、くつ、チョコレートと、雑誌の広告を行い、ディスプレイ端末３０ｃでキャンディ、チョコレートと、雑誌の広告を行なう。
【００５５】
このようにしてディスプレイ端末に割り付けられた商品広告データを、図１６で決定されたプレミアムコンテンツデータとともにコンテンツ配信管理端末４０からそれぞれディスプレイ端末３０に配信し、そしてディスプレイ端末３０で再生する。
以上の処理は、図３の商品広告付加プログラム４０ｂ−８を実行することにより実現される。
図２２は、各ディスプレイ端末に表示されるコンテンツと、商品広告データが配信され、再生されるイメージを表す図である。
以上の処理は、図３の商品広告付加プログラム４０ｂ−８を読み出して、処理を実行することにより実現される。
【００５６】
（実施形態４）
実施形態４は、実施形態１のようにして、ディスプレイ端末３０ｄ、３０ｅ、３０ｃに配信されるコンテンツの各話の再生時刻を制御する例である。即ち、コンテンツの各話の再生時刻を顧客の移動速度及び滞在時間に合わせるように制御する。また、飲食店付近にあるディスプレイ端末の再生時刻は食事時となるようにスケジュールする。そのため、買い物の時間が確保されるように、コンテンツの各話の再生間隔を調整する。
図２３は実施形態４のフローチャートを示し、ステップＳ１０−１は、実施例１における、図１９（ｃ）を抽出するまでの流れと同じである。即ち、動線経路の入力し、動線経路上に存在する店舗を抽出し、店舗の利用者層を抽出し、各コンテンツのスコアを計算し、動線経路上に存在するディスプレイ端末を抽出し、コンテンツの各話をディスプレイ端末に配分し、配信する。
次にステップＳ１０−２は、図１９（ｃ）で抽出されている、各ディスプレイ端末に割り付けられた各店舗の利用客の平均滞在時間を店舗情報テーブル（図８）を検索してプログラム実行用メモリ上のバッファに抽出する（図２４（ａ）参照）。更に、図示していないが、各ディスプレイ端末間の顧客の平均移動時間を加える。
次にステップＳ１０−３は、図１９（ｃ）のディスプレイ端末毎に、各店舗の滞在時間の和をとったものをプログラム実行用メモリ上のバッファに割り付ける。それを図２４（ｂ）に示す。
【００５７】
このようにして計算されたタイムスケジュールを、各ディスプレイ端末でプレミアムコンテンツを再生する際の再生開始時刻の間隔として設定する。これにより、利用客に適当な購買行動の時間を与えながら動線経路上を効率よく誘導することができる。例えば、図２５に示すように、各ディスプレイ端末の表示時刻が設定される。図２５において、太線はディスプレイ端末がコンテンツの各話を表示していることを表し、表示間隔を時間で表す。
ここで、各ディスプレイ端末の再生開始時刻の間隔は、必ずしも各店舗での利用客の平均滞在時間である必要はなく、他の指標、例えばディスプレイ端末間の移動時間などを用いてもよい。またコンテンツの再生時間や広告の再生時間を考慮してこれらの値を加えてもよい。あるいはさらに、各ディスプレイ端末での再生開始時刻の相対的な時間差だけでなく、絶対的な再生開始時刻が、特定店舗で特定時刻となるよう（例えば飲食店付近のディスプレイ端末通過時に食事の時刻となるように）に調整してもよい。
以上の処理は、図３のコンテンツスケジュール作成プログラム４０ｂ−６を読み出して、処理を実行することにより実現される。
【００５８】
（実施形態５）
上記実施形態１乃至４は、動線経路を入力すると、その動線経路上の店舗に関連付けられたコンテンツを抽出し、ディスプレイ端末に配信するシステムであったが、実施形態５は、所望の店舗を入力すると、自動的に動線経路を作成し、その店舗に関連付けられたコンテンツを抽出して、ディスプレイ端末に配信するシステムである。
実施形態５は、実施形態１と同じ構成であり、大部分が同じ動作をするので、異なる部分だけを説明する。実施形態５の説明で、説明のない部分は実施形態１の通りである。
【００５９】
図２６は、実施形態５のフローチャートを示し、ステップＳ１１−１では、指定された店舗が位置する通行路を抽出する処理を行なう。即ち、コンテンツ配信管理端末４０のユーザ入出力部４０ｄを用いて販売強化したい店舗を入力する。例えば、図２７に示すように、表示画面に領域内の店舗リストと、各店舗の前にボックスが表示される。例えば、販売強化したい店舗がゲーム店、食料品店、飲食店（Ａ）である場合、その前にあるボックスをチェックする。入力方法は、店舗リストにチェックする外に、図５に示したような領域内の地図を表示し、この地図上の店舗をチェックするような方法でもよい。
入力された店舗は、図２８のように販売強化店リストが作成される。図２８のリストをもとに、コンテンツ配信管理端末４０の店舗情報格納部４０ｃ−５に格納された図８の店舗情報テーブルを検索する。図８の店舗情報テーブルより、入力された店舗が位置する通行路をプログラム実行用メモリ上のバッファに抽出する。例えば、所望の店舗１０ｂ、１０位、１０ｋ通行について、通行路２０ｂ、２０ｊ、２０ｏが抽出される。その結果を図２９に示す。
【００６０】
次に、ステップＳ１１−２は、抽出された通行路を経由する通行路を探索し、動線経路を構成する通行路の距離の和を計算し、和が最小となる動線経路を決定する。つまり、上記ステップＳ１１−１で抽出された通行路は、グラフで表現すると、図３０のようになる。この図３０は、入力された販売強化店が位置する通行路を太い実線で示す。実施形態５は上記核通行路を通過し、かつ、その通行路をすべて接続するような通行路の組み合わせをすべて抽出する。そして、それぞれの組み合わせについて、通行路の長さの和が最小となるような組み合わせを選び出す。各通行路の距離は、図４の地図情報を走査することにより取得できる。また通行路の組み合わせは、通行路数が少ない場合には、通行路の組み合わせをすべて計算してもよいし、通行路の数が多い場合には動的計画法など、計算すべき組み合わせの数を減らすことができるような方法を用いてもよい。通行路の組み合わせは、例えば、図３１のように作成される。図３１は、プログラム実行用メモリ上のバッファに、各経路の総通行路長を計算して割り付けた例である。図３１は、５つの動線経路を示した。
【００６１】
こうして計算された経路から、総通行路長が最小となる経路を選出して、目的の動線経路とすればよい。あるいは通行路長ではなく、店の並び順、混雑度、店を通過する時刻の順など、より目的に即した他の指標を用いて目的の動線経路を決定してもよい。または類似店が多い経路を選出してもよいし、類似店の少ない経路を選出してもよい。更に、不所望の店舗を含まない経路を選出してもよい。このようにして決定された動線経路中に、やむを得ず所望でない店舗を含んでいてもかまわない。
このようにして自動決定された動線経路（動線経路長は最短）の例が、図３２である。決定された動線経路を太い実線で示す。
【００６２】
ステップＳ１１−３は、決定された動線経路について実施形態１と同じ処理を行い、決定された動線経路に従って、配信すべきプレミアムコンテンツ、およびコンテンツの配信先ディスプレイ端末を決定する。即ち、コンテンツが配信され、コンテンツを表示しているディスプレイを表示状態で示し、コンテンツが配信されていないディスプレイを非表示状態で示す。
このようにしてコンテンツが各ディスプレイ端末３０に割り付けられ、コンテンツ配信管理端末４０から配信されて再生されたイメージが図３３である。図３３はディスプレイ端末３０ｈ、３０ｂ、３０ｆのみが表示状態であり、他のディスプレイ端末は非表示のように示している。しかし、ディスプレイ端末３０ｈ、３０ｂ、３０ｆ以外のディスプレイ端末で、他のコンテンツを表示してもかまわない。
以上の処理は、図３の動線経路作成プログラム４０ｂ−５を読み出して、処理を実行することにより実現される。
【００６３】
（実施形態６）
実施形態５は、所望の店舗を入力して、自動的に動線経路を作成し、その店舗に関連付けられたコンテンツを抽出して、ディスプレイ端末に配信するシステムであったが、実施形態６は、店舗の入力に代えて、広告依頼料の高い店舗を販売強化店として、自動的に設定する。広告依頼料は、図８の店舗情報テーブルから抽出する。店舗数は広告依頼料の高い店舗上位数点を設定する。
その他の構成、処理は実施形態５と同じである。
【００６４】
（実施形態７）
実施形態７は、販売促進したい所望の商品を入力すると、その商品を販売している店舗を自動的に選出し、自動的に動線経路を作成し、その店舗に関連付けられたコンテンツを抽出して、ディスプレイ端末に配信するシステムである。更には配信及び再生のスケジュールを作成し、ディスプレイ端末に表示させる。その他は実施形態５と同じである。
【００６５】
図３４は、実施形態７のフローチャートを示し、ステップＳ１２−１は、指定された商品が取り扱われている店舗を抽出する処理である。即ち、コンテンツ配信管理端末４０のユーザ入出力部４０ｄにより重点販売したい所望商品を入力する。入力方法は、例えば図３５に示すように、商品リストと、各商品の前にボックスが表示され、販売強化したい商品のボックスにチェックする方法である。入力された商品をもとに、図９の商品広告情報テーブルを走査し、指定された商品を取り扱っている店舗をプログラム実行用メモリ上のバッファに抽出する。この結果を図３６（ａ）に示す。
ステップＳ１２−２は、ステップＳ１２−１で抽出された各店舗に対して、図８の店舗情報テーブルを走査し、店舗が位置する通行路をプログラム実行用メモリ上のバッファに抽出する。その結果を図３６（ｂ）に示す。つまり、販売強化したい所望の商品と、その取扱店のリストが作成される。この処理は、実施形態５のステップＳ１１−１と同じである。
【００６６】
以降ステップＳ１２−３の処理は、実施形態５のステップＳ１１−２と同じであり、ステップＳ１２−４は、実施形態５のステップＳ１１−３と同じである。
このようにして抽出されたコンテンツが選択されたディスプレイ端末に割り付けられ、コンテンツ配信管理端末４０から各ディスプレイ端末に配信されて再生される。その結果として、図３７に示すような動線経路が作成される。図３７はディスプレイ端末３０ａ、３０ｅ、３０ｆ、３０ｇ、３０ｃのみが表示状態であり、他のディスプレイ端末は非表示のように示しているが、他のディスプレイ端末で、他のコンテンツを表示してもかまわない。
【００６７】
（実施形態８）
実施形態は店舗オーナが広告依頼料または広告データをアップロードできるシステムである。この実施形態によれば、店舗オーナはどこにいても、いつでも広告依頼または広告データをアップロードできる。
図３８は、実施形態８のシステム構成図を示す。実施形態８はネットワークＮ及びコンテンツ配信管理端末４０に広告登録サーバ端末５０を接続したことを特徴とする。その他は、図２と同じである。
【００６８】
図３９は、広告登録サーバ端末５０のブロック図を示す。ＣＰＵ５０ａは、プログラム実行用メモリ５０ｂに記憶されたプログラムを読み込み、そのプログラムを実行するＣＰＵ装置である。プログラム実行用メモリ５０ｂは、この広告登録サーバ端末５０で実行されるプログラムを保存する、主にＤＲＡＭなどの記憶装置である。ＷＷＷサーバプログラム５０ｂ−１は、この広告登録サーバ端末５０に接続するユーザのためのＷＥＢアプリケーション画面を表示するためのＷＷＷサーバプログラムである。データベースプログラム５０ｂ−２は、この広告登録サーバ端末５０に接続したユーザにより登録された広告データや広告依頼料などを記憶装置に格納するためのデータベースプログラムである。これらのプログラムの外に、文書作成用プログラム、表作成用プログラム、描画作成プログラム、広告作成プログラムなどを格納してもよい。
記憶装置５０ｃは、アップロードされた広告コンテンツの映像、音声実データを格納する、ＨＤＤなどの記憶装置である。ネットワーク接続部５０ｄは、ネットワークＮに接続するための、Ethernet(登録商標)コントローラ等のインターフェース装置である。
このように広告登録サーバ端末５０がネットワークＮ及びコンテンツ配信管理端末４０に接続されているので、店舗オーナはいつでもどこでも広告依頼料、広告データをアップロードできる。例えば、広告登録サーバ端末５０の表示画面は図４０のとおりである。店舗１０ｈのコンビニのオーナは広告依頼画面を見て、店舗広告データ及び広告依頼料をアップロードする。
この広告依頼料は、実施形態６で使用され、広告依頼料に基づいて動線経路が作成される。また、アップロードした広告データは、各実施形態で使用される。
実施形態８は、店舗広告をアップロードする場合を説明したが、店舗広告に代えて商品広告をアップロードすることができる。商品広告をアップロードする場合は、図４０において、店舗広告データのアップロード部分を商品広告アップロードに代えるとよい。
【００６９】
（実施形態９）
実施形態は、実施形態１乃至８で配信決定されたコンテンツの再生スケジュールを、一般のネットワーク利用者に公開するシステムである。
図４１は、実施形態９のシステム構成図を示す。実施形態９はネットワークＮ及びコンテンツ配信管理端末４０に上映告知サーバ端末６０を接続したことを特徴とする。その他は、図３８と同じである。
図４２は、上映告知サーバ端末６０のブロック図を示す。ＣＰＵ６０ａは、プログラム実行用メモリ６０ｂに記憶されたプログラムを読み込み、そのプログラムを実行するＣＰＵ装置である。プログラム実行用メモリ６０ｂは、この上映告知サーバ端末６０で実行されるプログラムを保存する、主にＤＲＡＭなどの記憶装置である。ＷＷＷサーバプログラム６０ｂ−１は、コンテンツ配信管理端末４０からネットワーク接続部６０ｄを経由して受信したコンテンツの再生スケジュールを一般に公開するためのＷＷＷサーバプログラムである。メール送信プログラム６０ｂ―２は、コンテンツ配信管理端末４０からネットワーク接続部６０ｄを経由して受信したコンテンツの再生スケジュールを、あらかじめ登録された顧客のメールアドレス宛に送信するメール送信プログラムである。
記憶装置６０ｃは、コンテンツ配信管理端末４０からネットワーク接続部６０ｄを経由して受信したコンテンツの再生スケジュールを格納するための記憶装置である。ネットワーク接続部５０ｄは、ネットワークＮに接続するための、Ethernet(登録商標)コントローラ等のインターフェース装置である。
再生スケジュールの表示画面は図４３に示すとおりである。表示画面に放送予定が表示され、その下方に、コンテンツの各話の上映時刻と、上映場所が表示される。
【００７０】
この実施形態９によれば、実施形態１乃至８で決定されたコンテンツの再生スケジュールが公開される。即ち、上映告知サーバ端末６０は、コンテンツ配信管理端末４０から受信したコンテンツの再生スケジュールを格納し、あらかじめ登録された顧客のメールアドレス宛に送信するメール送信プログラムを備えるので、コンテンツの再生スケジュールを公開することができる。
従って、一般ユーザは再生スケジュールを見て、ショッピングモール、デパートまたは大型スーパーに行き、所望のプレミアコンテンツを見ることができる。
【００７１】
以上には、動線経路が１つである場合を説明した。しかし、ショッピングモール、デパートまたは大型スーパーは、当然複数の出入口があり、複数の動線経路がある。従って、本発明によって、第１の動線経路、第２の動線経路のように出入口に合わせて複数の動線経路を設定するとよい。その場合、重複する通行路ではディスプレイを時間割で、第１の動線経路のコンテンツまたは第２の動線経路のコンテンツを表示するとよい。
以上では、ショッピングセンター、デパート、大型スーパーのような領域内の店舗（または売場）について説明したが、本発明は店舗（または売場）だけでなく、観光地に点在する名所、旧跡、案内所、売店などを結ぶ動線経路を能動的に操作する場合にも有効に適用することができる。また、領域の大きさも制限がなく、どのような大きさの領域でも適用可能である。従って、移動に交通手段を用いるような場合にも適用可能である。
【図２】
2010210781.tif 000003
【図３】
2010210781.tif 000004
【図４】
2010210781.tif 000005
【図６】
2010210781.tif 000006
【図７】
2010210781.tif 000007
【図８】
2010210781.tif 000008
【図９】
2010210781.tif 000009
【図１０】
2010210781.tif 000010
【図１１】
2010210781.tif 000011
【図１２】
2010210781.tif 000012
【図１３】
2010210781.tif 000013
【図１４】
2010210781.tif 000014
【図１５】
2010210781.tif 000015
【図１６】
2010210781.tif 000016
【図１８】
2010210781.tif 000017
【図１９】
2010210781.tif 000018
【図２０】
2010210781.tif 000019
【図２１】
2010210781.tif 000020
【図２２】
2010210781.tif 000021
【図２３】
2010210781.tif 000022
【図２４】
2010210781.tif 000023
【図２５】
2010210781.tif 000024
【図２６】
2010210781.tif 000025
【図２７】
2010210781.tif 000026
【図２８】
2010210781.tif 000027
【図２９】
2010210781.tif 000028
【図３０】
2010210781.tif 000029
【図３１】
2010210781.tif 000030
【図３２】
2010210781.tif 000031
【図３４】
2010210781.tif 000032
【図３５】
2010210781.tif 000033
【図３６】
2010210781.tif 000034
【図３８】
2010210781.tif 000035
【図３９】
2010210781.tif 000036
【図４１】
2010210781.tif 000037
【図４２】
2010210781.tif 000038
【図１】
2010210781.tif 000039
【図５】
2010210781.tif 000040
【図１７】
2010210781.tif 000041
【図３３】
2010210781.tif 000042
【図３７】
2010210781.tif 000043
【図４０】
2010210781.tif 000044
【図４３】
2010210781.tif 000045